(57)【要約】【課題】ウェアラブルカメラシステムにおいて、車載カメラが撮像した映像データを取扱う上での利便性を向上させる。【解決手段】  ユーザが装着可能なウェアラブルカメラ１０と、ユーザが乗車する車両６に搭載され、映像データを撮像する車載カメラ６１と、車両６に搭載され、映像データを記憶するとともに、映像データのメタ情報を生成可能な車載レコーダ６２と、を備えるウェアラブルカメラシステム１００であって、車載レコーダ６２は、ウェアラブルカメラ１０から送信された映像データの識別情報を受信するとともに、メタ情報の一部として識別情報を設定する。【選択図】図１０
2016143996.tif 000002
【特許請求の範囲】
【請求項１】
ユーザが装着可能なウェアラブルカメラと、
前記ユーザが乗車する車両に搭載され、映像データを撮像する車載カメラと、
前記車両に搭載され、前記映像データを記憶するとともに、当該映像データのメタ情報を生成可能な車載レコーダと、を備えるウェアラブルカメラシステムであって、
前記車載レコーダは、前記ウェアラブルカメラから送信された前記映像データの識別情報を受信するとともに、前記メタ情報の一部として前記識別情報を設定する、
ウェアラブルカメラシステム。
【請求項２】
請求項１に記載のウェアラブルカメラシステムであって、
情報処理装置を更に含み、
当該情報処理装置は、前記ウェアラブルカメラおよび前記車両を使用するため、第１のログイン情報を用いた第１のログインを受け付けた後、前記第１のログイン情報を前記識別情報として前記ウェアラブルカメラへ送信する、ウェアラブルカメラシステム。
【請求項３】
請求項２に記載のウェアラブルカメラシステムであって、
前記車載レコーダは、前記識別情報に基づく第２のログイン情報を用いた第２のログインを受け付け可能である、ウェアラブルカメラシステム。
【請求項４】
請求項１から３のいずれか１項に記載のウェアラブルカメラシステムであって、
前記識別情報が、ユーザの識別情報、ユーザの名前、前記ウェアラブルカメラの識別番号、前記車両の識別番号、ユーザが巡回しているエリアの名称、ユーザの勤務シフトのパターン、ユーザの所属部署、ユーザの勤める勤務地の名称、前記ウェアラブルカメラのＭＡＣアドレスのうち少なくともいずれか一つである、ウェアラブルカメラシステム。
【請求項５】
ユーザが装着可能なウェアラブルカメラと、
前記ユーザが乗車する車両に搭載され、映像データを撮像する車載カメラと、
前記車両に搭載され、前記映像データを記憶するとともに、当該映像データのメタ情報を生成可能な車載レコーダと、を備えるウェアラブルカメラシステムにおける録画制御方法であって、
前記車載レコーダは、前記ウェアラブルカメラから送信された前記映像データの識別情報を受信するとともに、前記メタ情報の一部として前記識別情報を設定する、
録画制御方法。
【発明の詳細な説明】
【技術分野】
【０００１】
本発明は、ウェアラブルカメラシステム及び録画制御方法に関する。例えば、人の体又は着用した衣服等に装着可能なウェアラブルカメラと、車両に搭載された車載カメラおよび車載レコーダを含むウェアラブルカメラシステム等に関する。
【背景技術】
【０００２】
近年、例えば警察官や警備員の業務を支援するために、警察官や警備員に装着されて使用されるウェアラブルカメラの導入が検討されている。
【０００３】
ウェアラブルカメラを用いた従来例として、例えば特許文献１に記載されたウェアラブル監視カメラシステムがある。このウェアラブル監視カメラシステムは、身体に装着するＣＣＤカメラ手段及びマイク手段からの映像信号及び音声信号、並びに内蔵のクロック手段からの日時情報信号を、体に装着するポーチ手段に収納するエンコードサーバー手段によりエンコードし、また文字情報に変換した日時情報を撮像した映像にスーパーインポーズして記録可能な構成を有している。
【先行技術文献】
【特許文献】
【０００４】
【特許文献１】特開２００６−１４８８４２号公報
【発明の概要】
【発明が解決しようとする課題】
【０００５】
特許文献１のシステムでは、例えばウェアラブルカメラを警察官や警備員が装着して使用する場合、警察官や警備員が録画ボタンを押下することで、映像データ（映像信号）の録画を開始することが想定される。
【０００６】
また、パトカー等の車両に車載カメラおよび車載レコーダを含む車載システムを搭載し、車載カメラで撮像した映像データを有効利用することも期待されている。このため、車載カメラで撮像した映像データの属性を示すメタ情報には、当該映像データが撮像された環境を識別する識別情報を付与することが望まれる。
【０００７】
しかしながら、車載システムに上述した識別情報を入力して映像データに付加することは煩雑な作業である。とりわけパトカーのような車両が出動する事態は緊急事態であることが多く、車両内での各種の入力作業はできるだけ省力化されることが、映像データの取扱いにあたって好ましい。
【０００８】
本発明は、上記事情に鑑みてなされたものであり、車載カメラにより撮像した映像データを取扱う上での利便性を向上できるウェアラブルカメラシステム及び録画制御方法を提供する。
【課題を解決するための手段】
【０００９】
本発明のウェアラブルカメラシステムは、ユーザが装着可能なウェアラブルカメラと、  前記ユーザが乗車する車両に搭載され、映像データを撮像する車載カメラと、前記車両に搭載され、前記映像データを記憶するとともに、当該映像データのメタ情報を生成可能な車載レコーダと、を備えるウェアラブルカメラシステムであって、前記車載レコーダは、前記ウェアラブルカメラから送信された前記映像データの識別情報を受信するとともに、前記メタ情報の一部として前記識別情報を設定する。
【００１０】
本発明の録画制御方法は、ユーザが装着可能なウェアラブルカメラと、前記ユーザが乗車する車両に搭載され、映像データを撮像する車載カメラと、前記車両に搭載され、前記映像データを記憶するとともに、当該映像データのメタ情報を生成可能な車載レコーダと、を備えるウェアラブルカメラシステムにおける録画制御方法であって、前記車載レコーダは、前記ウェアラブルカメラから送信された前記映像データの識別情報を受信するとともに、前記メタ情報の一部として前記識別情報を設定する。
【発明の効果】
【００１１】
本発明によれば、車両内での各種の入力作業が省力化されるため、車載カメラにより撮像した映像データを取扱う上での利便性を向上できる。
【図面の簡単な説明】
【００１２】
【図１】実施形態に係るウェアラブルカメラシステムの概要とウェアラブルカメラにより撮像した映像データの使用に関する説明図
【図２】実施形態における警察官がパトカーに乗車して現場へ向かうイメージを示した模式図
【図３】実施形態に係るウェアラブルカメラの内部構成の一例を示すブロック図
【図４】実施形態に係るウェアラブルカメラをユーザが装着した状態を示す図
【図５】実施形態に係るウェアラブルカメラの外観の一例を示す正面図
【図６】実施形態に係るウェアラブルカメラの外観の一例を示す左側面図
【図７】実施形態に係るウェアラブルカメラの外観の一例を示す右側面図
【図８】実施形態に係る車載レコーダの内部構成の一例を示すブロック図
【図９】実施形態に係る車載ＰＣの内部構成の一例を示すブロック図
【図１０】署内ＰＣ、ウェアラブルカメラ、車載システム間の制御フローを示すシーケンス図
【図１１】ログイン情報（識別情報）の一例を示す図
【図１２】録画データのデータ構造の一例を示す図
【図１３】録画映像リストのデータ構造の一例を示す図
【発明を実施するための形態】
【００１３】
以下、本発明の実施形態について、図面を用いて説明する。
【００１４】
図１は、本実施形態に係るウェアラブルカメラシステム１００の概要とウェアラブルカメラ１０により撮像した映像データの使用に関する説明図である。図２は、警察官７がパトカー（車両）６に乗車して現場８へ向かうイメージを示した模式図である。
【００１５】
本実施形態のウェアラブルカメラ１０は、ユーザ（例えば警察官（Ｏｆｆｉｃｅｒ）７、警備員）が体又は着用した衣服等に装着可能な撮像装置である。ウェアラブルカメラ１０は、車に搭載した車載システム６０、ユーザ組織内のサーバ（バックエンドサーバ）ＳＶ１，ＳＶ２，ＳＶ３等との間で通信する通信機能を有する。
【００１６】
ウェアラブルカメラシステム１００において、ウェアラブルカメラ１０、車載システム６０がフロントエンドシステム１００Ａを構成し、ネットワーク上の管理ソフトウェア７０、警察署５内のＰＣである署内ＰＣ７１、サーバＳＶ１，ＳＶ２，ＳＶ３がバックエンドシステム１００Ｂを構成する。管理ソフトウェア７０は、例えば署内ＰＣ７１又はサーバＳＶ１〜ＳＶ３により実行される。
【００１７】
ウェアラブルカメラシステム１００の一例として、警察署５において使用される場合を想定して説明する。この場合、警察官７がウェアラブルカメラ１０を使用して撮像し、例えば警察署５内のバックエンドシステム１００Ｂに撮像した映像データを転送して蓄積する。なお、ウェアラブルカメラ１０は、ユーザが警察官７に限定されず、その他様々な事業所（例えば、警備会社）において使用されてもよい。本実施形態では、ユーザとして警察官７を主に例示する。
【００１８】
フロントエンドシステム１００Ａは、現場の最前線に出動する警察官が装着可能なウェアラブルカメラ１０と、パトカー６内に設置された車載システム６０と、を含む。
【００１９】
車載システム６０は、車載カメラ６１、車載レコーダ６２、車載ＰＣ６３、通信ユニット等を有し、車載カメラシステム、映像管理システム等を構成する（図２参照）。
【００２０】
車載カメラ６１は、パトカー６の所定位置に設置され、パトカー６の周囲を常時又は所定のタイミングで映像を撮像する。車載カメラ６１は、例えばパトカー６の前方を撮像するためのフロント用カメラ（不図示）、パトカー６内のバックシート（例えば容疑者を座らせているシート）を撮像するためのバック用カメラ（不図示）と、を含む。車載カメラ６１により撮像された映像データは、車載レコーダ６２にて蓄積される。ただし、車載カメラ６１は、フロント用カメラ、バック用カメラに限定されず、他の箇所にも複数台設置可能である。
【００２１】
尚、フロント用カメラやバック用カメラには、パトカー６の車外の音を収音するマイク（不図示）を備え付けられてもよい。この場合、パトカー６内の警察官７又は容疑者の発する音声も収音（録音）可能である。
【００２２】
車載レコーダ６２は、車載カメラ６１により撮像された映像データを蓄積する。車載レコーダ６２は、ウェアラブルカメラ１０により撮像された映像データを蓄積してもよい。また、車載レコーダ６２は、映像データに対して付与される属性情報やメタ情報を管理してもよい。
【００２３】
車載ＰＣ６３は、パトカー６内に固定的に搭載されるＰＣでもよいし、パトカー６外にも携帯可能なＰＣ、スマートフォン、携帯電話機、タブレット端末、ＰＤＡ（Ｐｅｒｓｏｎａｌ  Ｄｉｇｉｔａｌ  Ａｓｓｉｓｔａｎｔ）等の無線通信装置であってもよい。
【００２４】
車載ＰＣ６３は、図示しない管理ソフトウェアを実行することで、車載システム６０とウェアラブルカメラ１０との連携を可能にする。また、車載ＰＣ６３のＵＩ（Ｕｓｅｒ  Ｉｎｔｅｒｆａｃｅ）（例えば、操作部、表示部、音声出力部）は、車載レコーダ６２を操作するためのＵＩとしても用いられる。
【００２５】
警察官７は、所定の用件（例えばパトロール）で警察署５から出動する際、例えば、ウェアラブルカメラ１０を装着し、車載システム６０を搭載したパトカー６に乗車して現場８に向かう（図２参照）。
【００２６】
フロントエンドシステム１００Ａにおいて、例えば、パトカー６が到着した現場８の映像を車載システム６０の車載カメラ６１により撮像し、警察官７がパトカー６から降車して現場のより詳細な映像をウェアラブルカメラ１０により撮像する。
【００２７】
ウェアラブルカメラ１０が撮像した動画又は静止画の映像データは、例えば、ウェアラブルカメラ１０のメモリ、車載システム６０の車載レコーダ６２又は車載ＰＣ６３のメモリに保存される。
【００２８】
車載システム６０（例えば車載レコーダ６２）は、車載システム６０のメモリ、ストレージ等（車載レコーダ６２の場合は後述する図８のＳＳＤ１１１等）から、映像データを含む各種データをバックエンドシステム１００Ｂに転送（アップロード）する。
【００２９】
バックエンドシステム１００Ｂへのデータ転送は、例えば、現場８から無線通信により接続して行うか、或いは、パトロールが終了して警察署５に戻った際に、有線通信、無線通信、又は手動（例えば記憶媒体の持ち運び）により行う。
【００３０】
バックエンドシステム１００Ｂは、警察署５内又は他の場所に設置されたサーバＳＶ１〜ＳＶ３と、フロントエンドシステム１００Ａと通信するための管理ソフトウェア７０と、署内ＰＣ７１と、を含む。
【００３１】
サーバＳＶ１〜ＳＶ３は、サーバＳＶ１〜ＳＶ３の内部又は外部にＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等によるストレージを備える。サーバＳＶ１〜ＳＶ３は、フロントエンドシステム１００Ａから転送された映像データ及び他のデータを、サーバＳＶ１〜ＳＶ３に蓄積する。サーバＳＶ１〜ＳＶ３は、例えば、ウェアラブルカメラ１０又は車載システム６０（例えば車載レコーダ６２）から転送された映像データを受信し、ＨＤＤ等のストレージに保存する。
【００３２】
バックエンドシステム１００Ｂに蓄積された映像データは、例えば警察署５内の関係部署の担当者により利用され、必要に応じて、所定の記憶媒体（例えばＤＶＤ：Ｄｉｇｉｔａｌ  Ｖｅｒｓａｔｉｌｅ  Ｄｉｓｋ）に映像データがコピーされて、所定のシーン（例えば裁判）において証拠品として提出される。本実施形態では、警察官７が装着したウェアラブルカメラ１０を用いて、現場の証拠映像をより的確に取得及び保存することが可能になっている。
【００３３】
警察官７が警察署５から現場８へ出動し、ウェアラブルカメラ１０を用いる際には、警察官７の識別情報（例えばＯｆｆｉｃｅｒ  ＩＤ）、警察官が使用するウェアラブルカメラ１０の識別情報（例えばＣａｍｅｒａ  ＩＤ）、警察官７が使用するパトカー６の識別情報（例えばＣａｒ  ＩＤ）等を、署内ＰＣ７１等を用いて設定登録する。これにより、サーバＳＶ１〜ＳＶ３に蓄積された映像データについて、いつ、どの警察官がどのカメラを用いて撮像した映像であるかを明確に区別できる。
【００３４】
警察官７やウェアラブルカメラ１０の設定登録は、例えば、警察署５内の担当者や出動する警察官７が署内ＰＣ７１の操作部（不図示）を操作し、署内ＰＣ７１が管理ソフトウェア７０を実行することで行われる。この設定登録では、上記Ｏｆｆｉｃｅｒ  ＩＤ、Ｃａｍｅｒａ  ＩＤ、Ｃａｒ  ＩＤ以外の情報が署内ＰＣ７１の操作部を介して入力されてもよい。
【００３５】
また、警察官７がパトカー６へ乗車した際には、車載システム６０に対して警察官７がログイン可能である。このログインの際には、例えば、車載ＰＣ６３の操作部を操作して、警察署５内での設定登録と同様に、Ｏｆｆｉｃｅｒ  ＩＤ、Ｃａｍｅｒａ  ＩＤ等その他の情報を入力する。
【００３６】
車載システム６０に対して警察官７がログインすると、警察官７が車載システム６０を使用することが許可され、車載システム６０と警察官７が所持するウェアラブルカメラ１０とが連携可能となる。例えば、ウェアラブルカメラ１０が撮像した映像データを車載システム６０（例えば車載レコーダ６２）へ送信して、警察官７が車載ＰＣ６３により確認でき、車載システム６０（例えば車載レコーダ６２）がウェアラブルカメラ１０へ各種設定を指示できる。
【００３７】
図３は、ウェアラブルカメラ１０の内部構成の一例を示すブロック図である。図４は、ウェアラブルカメラ１０を警察官７が装着した状態を示す模式図である。図５は、ウェアラブルカメラ１０の外観の一例を示す正面図である。図６は、ウェアラブルカメラ１０の外観の一例を示す左側面図である。図７は、ウェアラブルカメラ１０の外観の一例を示す右側面図である。
【００３８】
図３に示すように、ウェアラブルカメラ１０は、撮像部１１と、ＧＰＩＯ１２（Ｇｅｎｅｒａｌ  Ｐｕｒｐｏｓｅ  Ｉｎｐｕｔ／Ｏｕｔｐｕｔ）と、ＲＡＭ（Ｒａｎｄｏｍ  Ａｃｃｅｓｓ  Ｍｅｍｏｒｙ）１３と、ＲＯＭ（Ｒｅａｄ  Ｏｎｌｙ  Ｍｅｍｏｒｙ）１４と、記憶部１５と、を備える。ウェアラブルカメラ１０は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１６と、ＲＴＣ（Ｒｅａｌ  Ｔｉｍｅ  Ｃｌｏｃｋ）１７と、ＧＰＳ（Ｇｌｏｂａｌ  Ｐｏｓｉｔｉｏｎｉｎｇ  Ｓｙｓｔｅｍ）１８と、を備える。ウェアラブルカメラ１０は、ＭＣＵ（Ｍｉｃｒｏ  Ｃｏｎｔｒｏｌｌｅｒ  Ｕｎｉｔ）１９と、通信部２１と、ＵＳＢ（Ｕｎｉｖｅｒｓａｌ  Ｓｅｒｉａｌ  Ｂｕｓ）２２と、コンタクトターミナル２３と、電源部２４と、バッテリ２５と、を備える。
【００３９】
ウェアラブルカメラ１０は、操作入力部の一例として、録画スイッチＳＷ１と、スナップショットスイッチＳＷ２と、属性情報付与スイッチＳＷ３と、属性選択スイッチＳＷ４と、通信モードスイッチＳＷ５と、インジケータスイッチＳＷ６と、を備える。
【００４０】
ウェアラブルカメラ１０は、状態表示部の一例として、ＬＥＤ（Ｌｉｇｈｔ  Ｅｍｉｔｔｉｎｇ  Ｄｉｏｄｅ）２６ａ，２６ｂ，２６ｃと、バイブレータ２７と、を備える。
【００４１】
撮像部１１は、例えば、撮像レンズ１１ａ（図５参照）と、ＣＣＤ（Ｃｈａｒｇｅ  Ｃｏｕｐｌｅｄ  Ｄｅｖｉｃｅ）型イメージセンサ又はＣＭＯＳ（Ｃｏｍｐｌｅｍｅｎｔａｒｙ Ｍｅｔａｌ  Ｏｘｉｄｅ  Ｓｅｍｉｃｏｎｄｕｃｔｏｒ）型イメージセンサ等による固体撮像素子と、を有する。撮像部１１は、撮像により得られた被写体の映像データをＭＣＵ１９に出力する。
【００４２】
ＧＰＩＯ１２は、パラレルインタフェースであり、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６、ＬＥＤ２６ａ〜２６ｃ及びバイブレータ２７と、ＭＣＵ１９との間で信号を入出力する。
【００４３】
ＲＡＭ１３は、例えば、ＭＣＵ１９の動作において使用されるワークメモリである。ＲＯＭ１４は、例えば、ＭＣＵ１９を制御するためのプログラム及びデータを予め記憶するメモリである。
【００４４】
記憶部１５は、例えば、ＳＤメモリ等の記憶媒体により構成され、撮像部１１にて撮像して得られた映像データを記憶する。記憶部１５としてＳＤメモリを用いる場合、ウェアラブルカメラ１０の筐体本体に対して取付け及び取外しが可能である。
【００４５】
ＥＥＰＲＯＭ１６は、例えば、ウェアラブルカメラ１０を識別する識別情報（例えばシリアル番号）、及び他の設定情報（例えばＯｆｆｉｃｅｒ  ＩＤやＣａｍｅｒａ  ＩＤ）を記憶する。
【００４６】
ＲＴＣ１７は、現在の時刻情報をカウントしてＭＣＵ１９に出力する。
【００４７】
ＧＰＳ１８は、現在のウェアラブルカメラ１０の位置情報をＧＰＳ発信機（不図示）から受信して、ＭＣＵ１９に出力する。
【００４８】
ＭＣＵ１９は、制御部としての機能を有し、例えば、ウェアラブルカメラ１０の各部の動作を全体的に統括するための制御処理、ウェアラブルカメラ１０の各部との間のデータの入出力処理、データの演算（計算）処理及びデータの記憶処理を行い、ＲＯＭ１４に記憶されたプログラム及びデータに従って動作する。ＭＣＵ１９は、動作時には、例えば、ＲＡＭ１３を使用し、ＲＴＣ１７より現在の時刻情報を得て、ＧＰＳ１８より現在の位置情報を得る。
【００４９】
通信部２１は、例えばＯＳＩ（Ｏｐｅｎ  Ｓｙｓｔｅｍｓ  Ｉｎｔｅｒｃｏｎｎｅｃｔｉｏｎ）参照モデルの第１層である物理層において、通信部２１とＭＣＵ１９との接続を規定する。通信部２１は、この規定に従って、例えば、無線ＬＡＮ（Ｗ−ＬＡＮ）による無線通信（例えばＷｉ−ｆｉ（登録商標））を行う。通信部２１は、近距離無線通信（ＮＦＣ：Ｎｅａｒ  Ｆｉｅｌｄ  Ｃｏｍｍｕｎｉｃａｔｉｏｎ）、Ｂｌｕｅｔｏｏｔｈ（登録商標）等の無線通信を行ってもよい。
【００５０】
ＵＳＢ２２は、シリアルバスであり、ウェアラブルカメラ１０は、車載システム６０、又は警察署５内の署内ＰＣ７１とＵＳＢ２２で接続可能とする。
【００５１】
コンタクトターミナル２３は、クレードル（不図示）又は外付けアダプタ（不図示）等と電気的に接続するための端子であり、ＵＳＢ２２を介してＭＣＵ１９に接続され、電源部２４と接続される。コンタクトターミナル２３を介して、ウェアラブルカメラ１０の充電、及び映像データを含むデータの通信が可能となっている。
【００５２】
コンタクトターミナル２３には、例えば、「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧変化を検出するための端子である。データ端子Ｄ−，Ｄ＋は、例えばＵＳＢコネクタ端子を介して、外部ＰＣ等に対してウェアラブルカメラ１０で撮像した映像データ等を転送するための端子である。
【００５３】
コンタクトターミナル２３とクレードル（不図示）又は外付けアダプタ（不図示）のコネクタとが接続されることにより、ウェアラブルカメラ１０と外部機器との間でデータ通信が可能となる。
【００５４】
電源部２４は、例えば、コンタクトターミナル２３を介してクレードル又は外付けアダプタより供給される電源電力をバッテリ２５に給電して、バッテリ２５を充電する。バッテリ２５は、例えば、充電可能な２次電池により構成され、ウェアラブルカメラ１０の各部に電源電力を供給する。
【００５５】
録画スイッチＳＷ１は、例えば、警察官７の押下操作による録画（動画の撮像）の開始／停止の操作指示を入力する押しボタンスイッチである。
【００５６】
スナップショットスイッチＳＷ２は、例えば、警察官７の押下操作による静止画の撮像の操作指示を入力する押しボタンスイッチである。
【００５７】
属性情報付与スイッチＳＷ３は、例えば、警察官７の押下操作による、映像データに属性情報を付与するための操作指示を入力する押しボタンスイッチである。
【００５８】
属性選択スイッチＳＷ４は、例えば、映像データに付与する属性を選択するための操作指示を入力するスライドスイッチである。
【００５９】
通信モードスイッチＳＷ５は、例えば、ウェアラブルカメラ１０と外部機器との間の通信モードを設定するための操作指示を入力するスライドスイッチである。
【００６０】
インジケータスイッチＳＷ６は、例えば、ＬＥＤ２６ａ〜２６ｃ及びバイブレータ２７による動作状態表示モードを設定するための操作指示を入力するスライドスイッチである。
【００６１】
録画スイッチＳＷ１、スナップショットスイッチＳＷ２、属性情報付与スイッチＳＷ３、及び属性選択スイッチＳＷ４は、緊急時においても容易に操作が可能に構成される。なお、各スイッチＳＷ１〜ＳＷ６は、上記の形態に限定されず、ユーザによる操作指示の入力が可能な他の形態の操作入力デバイスでもよい。
【００６２】
ＬＥＤ２６ａは、例えば、ウェアラブルカメラ１０の電源投入状態（オンオフ状態）及びバッテリ２５の状態を示す表示部である。
【００６３】
ＬＥＤ２６ｂは、例えば、ウェアラブルカメラ１０の撮像動作の状態（録画状態）を示す表示部である。
【００６４】
ＬＥＤ２６ｃは、例えば、ウェアラブルカメラ１０の通信モードの状態を示す表示部である。
【００６５】
ＭＣＵ１９は、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６の各スイッチの入力検出を行い、操作があったスイッチ入力に対する処理を行う。
【００６６】
ＭＣＵ１９は、録画スイッチＳＷ１の操作入力を検出した場合、撮像部１１における撮像動作の開始又は停止を制御し、撮像部１１から得られた撮像データを、動画像の映像データとして記憶部１５に保存する。
【００６７】
ＭＣＵ１９は、スナップショットスイッチＳＷ２の操作入力を検出した場合、スナップショットスイッチＳＷ２が操作されたときの撮像部１１による撮像データを、静止画の映像データとして記憶部１５に保存する。
【００６８】
ＭＣＵ１９は、属性情報付与スイッチＳＷ３の操作入力を検出した場合、予め設定された属性情報を映像データに付与し、映像データと対応付けて記憶部１５に保存する。この際、属性選択スイッチＳＷ４の状態と所定の属性情報との対応関係を示す対応情報をＥＥＰＲＯＭ１６に保持しておき、ＭＣＵ１９は、属性選択スイッチＳＷ４の状態を検出し、属性選択スイッチＳＷ４の設定に応じた属性情報を付与する。
【００６９】
ＭＣＵ１９は、通信モードスイッチＳＷ５の状態を検出し、通信モードスイッチＳＷ５の設定に応じた通信モードによって通信部２１を動作させる。
【００７０】
ＭＣＵ１９は、録画動作を開始した場合、インジケータスイッチＳＷ６の状態を検出し、インジケータスイッチＳＷ６の設定に応じて、ＬＥＤ表示及び／又はバイブレータ振動によって録画動作の状態を外部に示す報知を行う。
【００７１】
図４に示すように、ウェアラブルカメラ１０は、例えば、警察官７の胸部など、警察官７の視点に近い位置からの視野の映像を撮像するように、警察官７が着用した衣服又は体に装着して使用される。警察官７は、ウェアラブルカメラ１０を装着した状態で、録画スイッチＳＷ１を操作して周囲の被写体の撮像を行う。
【００７２】
図５に示すように、ウェアラブルカメラ１０では、例えば、略直方体状の筐体１０Ａの正面に、撮像部１１の撮像レンズ１１ａ、録画スイッチＳＷ１、スナップショットスイッチＳＷ２が設けられる。
【００７３】
録画スイッチＳＷ１は、例えば、奇数回押下されることで録画（動画の撮像）が開始され、偶数回押下されることで録画が終了する。
【００７４】
スナップショットスイッチＳＷ２は、例えば、押下される度に、押下時の静止画の撮像が実行される。
【００７５】
図６に示すように、ウェアラブルカメラ１０の筐体１０Ａの正面から見て左側面には、属性情報付与スイッチＳＷ３、属性選択スイッチＳＷ４、ＵＳＢコネクタ２２ａが設けられる。警察官７が属性情報付与スイッチＳＷ３を押下操作することにより、現在録画中の映像データ又は直前に録画した映像データに対して、属性選択スイッチＳＷ４の設定状態に応じた属性情報が付与される。
【００７６】
属性選択スイッチＳＷ４は、図示例ではＣ１，Ｃ２，Ｃ３の３段階の接点位置を有するスライドスイッチであり、Ｃ１〜Ｃ３にそれぞれ割り付け設定された属性情報を警察官７が選択して指定する。
【００７７】
ＵＳＢコネクタ２２ａには、ＵＳＢ２２により外部機器と接続するケーブルが接続される。これにより、ウェアラブルカメラ１０と車載システム６０又は警察署５内の署内ＰＣ７１等とを接続し、データ通信可能である。
【００７８】
図７に示すように、ウェアラブルカメラ１０の筐体１０Ａの正面から見て右側面には、通信モードスイッチＳＷ５、インジケータスイッチＳＷ６が設けられる。
【００７９】
通信モードスイッチＳＷ５は、図示例ではＡＰ、ＳＴＡ１、ＳＴＡ２、ＯＦＦの４段階の接点位置を有するスライドスイッチであり、ウェアラブルカメラ１０の通信モードをユーザが選択して指定する。
【００８０】
ＡＰは、アクセスポイントモードであり、ウェアラブルカメラ１０が無線ＬＡＮのアクセスポイントとして動作し、例えば、警察官７が所持する携帯端末（不図示）と無線接続して、ウェアラブルカメラ１０と携帯端末との間で通信を行うモードである。
【００８１】
アクセスポイントモードにおいて、携帯端末は、ウェアラブルカメラ１０と接続することにより、ウェアラブルカメラ１０による現在のライブ映像の表示、録画された映像データの再生、属性情報の付与、撮像された静止画の表示等を行うことができる。
【００８２】
ＳＴＡ１，ＳＴＡ２は、ステーションモードであり、無線ＬＡＮを用いて外部機器と接続する場合に、外部機器をアクセスポイントとして通信を行うモードである。ＳＴＡ１は警察署５内のアクセスポイントと接続するモード、ＳＴＡ２は車載システム６０と接続するモードである。
【００８３】
ステーションモードにおいて、ウェアラブルカメラ１０は、各種設定、ウェアラブルカメラ１０が保持する録画された映像データの転送（アップロード）などを車載システム６０や警察署５内の署内ＰＣ７１やサーバＳＶ１〜ＳＶ３に対して行うことができる。
【００８４】
ＯＦＦは、無線ＬＡＮの通信動作をオフし、無線ＬＡＮを未使用とするモードである。
【００８５】
インジケータスイッチＳＷ６は、図示例ではＬＥＤ、Ｖｉｂｒａｔｉｏｎ、ＬＥＤ＆Ｖｉｂｒａｔｉｏｎ、ＯＦＦの４段階の接点位置を有するスライドスイッチであり、ウェアラブルカメラ１０の報知モードを警察官７が選択して指定する。
【００８６】
ＬＥＤは、ＬＥＤ２６ａ〜２６ｃによってウェアラブルカメラ１０の録画中などの動作状態を表示するモードである。
【００８７】
Ｖｉｂｒａｔｉｏｎは、バイブレータ２７の振動によってウェアラブルカメラ１０の動作状態を報知するモードである。
【００８８】
ＬＥＤ＆Ｖｉｂｒａｔｉｏｎは、ＬＥＤ２６ａ〜２６ｃの表示とバイブレータ２７の振動とによってウェアラブルカメラ１０の動作状態を報知するモードである。
【００８９】
ＯＦＦは動作状態の報知動作をオフするモードである。
【００９０】
ＬＥＤ２６ａ〜２６ｃは、図５に示すように、ウェアラブルカメラ１０の筐体１０Ａの正面から見て上面に配置されている。これにより、警察官７がウェアラブルカメラ１０を装着した状態でＬＥＤ２６ａ〜２６ｃを容易に視認できる。尚、警察官７本人以外からはＬＥＤ２６ａ〜２６ｃが見えないようにしてもよい。
【００９１】
また、図示しないが、ウェアラブルカメラ１０の筐体１０Ａの正面から見て下面には、コンタクトターミナル２３が設けられる。
【００９２】
図８は、車載レコーダ６２の内部構成の一例を示すブロック図である。車載レコーダ６２は、ＣＰＵ１０１、無線通信部１０２、有線通信部１０３、ＲＯＭ１０４、ＲＡＭ１０５、μＣＯＮ１０６、ＧＰＳ１０７、ＧＰＩＯ１０８、ボタン１０９、ＬＥＤ１１０、ＳＳＤ１１１、及びＲＳ−２３２Ｃ接続部１１２を含む構成である。
【００９３】
ＣＰＵ１０１は、例えば、車載レコーダ６２の各部の動作を全体的に統括するための制御処理、他の各部との間のデータの入出力処理、データの演算（計算）処理及びデータの記憶処理を行う。
【００９４】
無線通信部１０２は、無線回線を介して外部装置と無線通信する。無線通信は、例えば、無線ＬＡＮ（Ｌｏｃａｌ  Ａｒｅａ  Ｎｅｔｗｏｒｋ）通信、近距離無線通信（ＮＦＣ）、Ｂｌｕｅｔｏｏｔｈ（登録商標）を含む。無線ＬＡＮ通信は、例えばＷｉ−ｆｉ（登録商標）のＩＥＥＥ８０２．１１ｎ規格に従って通信する。ＣＰＵ１０１と無線通信部１０２との間は、例えば、ＰＣＩ（Ｐｅｒｉｐｈｅｒａｌ  Ｃｏｍｐｏｎｅｎｔ  ＩｎｔｅｒＣｏｎｎｅｃｔ）又はＵＳＢを介して接続される。無線通信部１０２は、例えば、車載カメラ６１、車載ＰＣ６３、ウェアラブルカメラ１０との間で無線通信する。
【００９５】
有線通信部１０３は、有線回線（例えば有線ＬＡＮ）を介して外部装置と有線通信する。有線通信部１０３は、例えば、車載カメラ６１、車載ＰＣ６３、ウェアラブルカメラ１０との間で有線通信する。
【００９６】
ＲＯＭ１０４は、例えば、フラッシュＲＯＭであり、ＣＰＵ１０１を制御するためのプログラム及びデータを予め記憶するメモリである。
【００９７】
ＲＡＭ１０５は、例えば、ＣＰＵ１０１の動作において使用されるワークメモリである。ＲＡＭ１０５は、例えば複数設けられる。
【００９８】
μＣＯＮ１０６は、例えば、マイクロコンピュータの一種であり、外部インタフェースに係る各部（例えば、ＧＰＳ１０７、ＧＰＩＯ１０８、ボタン１０９、ＬＥＤ１１０）と接続され、外部インタフェースに関する制御を行う。μＣＯＮ１０６は、例えばＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を介して、ＣＰＵ１０１に接続される。
【００９９】
ＧＰＳ１０７は、例えば、現在の車載レコーダ６２の位置情報をＧＰＳ発信機（不図示）から受信して、ＣＰＵ１０１に出力する。
【０１００】
ＧＰＩＯ１０８は、例えば、パラレルインタフェースであり、ＧＰＩＯ１０８を介して接続される外部装置（不図示）とμＣＯＮ１０６との間で、信号を入出力する。
【０１０１】
ボタン１０９は、例えば、車載カメラ６１により撮像された映像データの録画を開始又は停止するための録画ボタンを含む。
【０１０２】
ＬＥＤ１１０は、例えば、車載レコーダ６２の電源投入状態（オンオフ状態）、録画の実施状態、車載レコーダ６２のＬＡＮへの接続状態、車載レコーダ６２に接続されたＬＡＮの使用状態を、点灯、消灯、点滅等により表示する。
【０１０３】
記憶部としてのＳＳＤ１１１は、例えば、車載カメラ６１により撮像され録画された映像データを蓄積する。ＳＳＤ１１１は、ウェアラブルカメラ１０により撮像され録画された映像データを蓄積してもよい。また、ＳＳＤ１１１は、映像データ以外のデータを蓄積してもよい。ＳＳＤ１１１は、ＳＡＴＡ（Ｓｅｒｉａｌ  ＡＴＡ）を介して、ＣＰＵ１０１に接続される。ＳＳＤ１１１は、複数設けられてもよい。尚、ＳＳＤ１１１以外のストレージ（例えばＨＤＤ）が設けられてもよい。
【０１０４】
ＲＳ−２３２Ｃ接続部１１２は、ＲＳ−２３２Ｃの規格に従う外部機器（不図示）を接続し、この外部機器とＣＰＵ１０１との間でデータを入出力する。
【０１０５】
図９は、車載ＰＣ６３の内部構成の一例を示すブロック図である。車載ＰＣ６３は、ＣＰＵ２０１と、Ｉ／Ｏ（Ｉｎｐｕｔ／Ｏｕｔｐｕｔ）制御部２０２と、通信部２０３と、メモリ２０４と、入力部２０５と、表示部２０６と、スピーカ２０７と、を含む構成である。車載ＰＣ６３は、ウェアラブルカメラ１０、車載レコーダ６２とそれぞれ通信可能であり、バックエンドシステム１００Ｂのサーバ装置ＳＶ１〜ＳＶ３や署内ＰＣ７１とも通信可能である。
【０１０６】
ＣＰＵ２０１は、例えば、車載ＰＣ６３の各部の動作を全体的に統括するための制御処理、他の各部との間のデータのＩ／Ｏ制御部２０２を介した入出力処理、データの演算（計算）処理及びデータの記憶処理を行う。
【０１０７】
ＣＰＵ２０１は、例えば、表示部２０６に表示された車載システム６０へのログイン画面（不図示）に対する警察官７の入力操作により、警察官７の車載システム６０へのログインの可否を認証する。警察官７の入力操作は、例えば、Ｏｆｆｉｃｅｒ  ＩＤとパスワード等を入力する操作である。ログインが許可される対象となる警察官７に関する各種情報は、例えばメモリ２０４に予め保存されており、ＣＰＵ２０１は、メモリ２０４に予め保存されているログインの許可対象の情報を用いて、警察官７の車載システム６０へのログインの可否を判定する。
【０１０８】
尚、このログインは、車載ＰＣ６３を介した車載システム６０へのログインでもよいし、車載ＰＣ６３に搭載された車載システム６０を操作するアプリケーションへのログインでもよい。
【０１０９】
Ｉ／Ｏ制御部２０２は、ＣＰＵ２０１と車載ＰＣ６３の各部（例えば通信部２０３、入力部２０５、表示部２０６、スピーカ２０７）との間でデータの入出力に関する制御を行い、ＣＰＵ２０１からのデータ及びＣＰＵ２０１へのデータの中継を行う。尚、Ｉ／Ｏ制御部２０２は、ＣＰＵ２０１と一体的に構成されてもよい。
【０１１０】
通信部２０３は、例えば、車載レコーダ６２との間、又は警察官７が装着可能なウェアラブルカメラ１０との間で、有線又は無線による通信を行う。
【０１１１】
通信部２０３は、警察官７が車載システム６０にログイン中である場合、メモリ２０４に保存されるログイン情報をウェアラブルカメラ２に転送してコピーさせ、警察官７が車載システム６０にログインしていない場合、ログイン情報をウェアラブルカメラ１０に転送しない。
【０１１２】
ログイン情報は、例えば、警察官７を識別するためのＯｆｆｉｃｅｒ  ＩＤ、ウェアラブルカメラ１０を識別するためのＣａｍｅｒａ  ＩＤ、使用されるパトカー６を識別するためのＣａｒ  ＩＤを含む。
【０１１３】
メモリ２０４は、例えばＲＡＭ、ＲＯＭ、不揮発性又は揮発性の半導体メモリを用いて構成され、ＣＰＵ２０１の動作時のワークメモリとして機能し、ＣＰＵ２０１を動作させるための所定のプログラム及びデータを保存している。メモリ２０４は、例えば、車載システム６０へのログインが許可される警察官７に関するログイン情報を保存する。
【０１１４】
入力部２０５は、警察官７の入力操作を受け付け、Ｉ／Ｏ制御部２０２を介してＣＰＵ２０１に通知するためのＵＩであり、例えばマウス、キーボード等のポインティングデバイスである。入力部２０５は、例えば表示部２０６の画面に対応して配置され、警察官７の指又はスタイラスペンによって操作が可能なタッチパネル又はタッチパッドを用いて構成されても良い。
【０１１５】
表示部２０６は、例えばＬＣＤ（Ｌｉｑｕｉｄ  Ｃｒｙｓｔａｌ  Ｄｉｓｐｌａｙ）又は有機ＥＬ（Ｅｌｅｃｔｒｏｌｕｍｉｎｅｓｃｅｎｃｅ）を用いて構成され、各種情報を表示する。また、表示部２０６は、例えば警察官７の入力操作に応じて、ウェアラブルカメラ１０により撮像（録画）された映像データが入力された場合には、ＣＰＵ２０１の指示の下で、映像データに含まれる映像を画面に表示する。
【０１１６】
スピーカ２０７は、例えば警察官７の入力操作に応じて、ウェアラブルカメラ２により撮像（録画）された音声を含む映像データが入力された場合には、ＣＰＵ２０１の指示の下で、映像データに含まれる音声を出力する。なお、表示部２０６及びスピーカ２０７は、車載ＰＣ６３とは別々の構成としてもよい。
【０１１７】
上述したウェアラブルカメラシステム１００において、ウェアラブルカメラ２により撮像（録画）された映像データのみならず、パトカー６の車載カメラ６１で撮像した映像データを有効利用することも期待されている。よって、車載カメラ６１で撮像した映像データにも、ウェアラブルカメラ１０における署内ＰＣ７１と管理ソフトウェア７０による識別情報の設定登録と同様に、識別情報が設定登録されることが望ましい。
【０１１８】
この場合、パトカー６に乗り込んだ警察官７が、車載システム６０の車載レコーダ６２または車載ＰＣ６３を用いて、識別情報を入力して映像データに付加することが考えられる。しかしこのような作業は煩雑であり、警察官７の負担を増加させるものである。とりわけパトカー６が出動する事態は緊急事態であることが多く、パトカー６内での各種の入力作業はできるだけ省力化されることが、映像データの取扱いにあたって好ましい。
【０１１９】
上述した状況を考慮した、本実施形態のウェアラブルカメラシステム１００の具体的な使用例を説明する。図１０は、署内ＰＣ７１（バックエンドシステム１００Ｂ）、ウェアラブルカメラ１０、車載システム６０（フロントエンドシステム１００Ａ）間の制御フローを示すシーケンス図である。ここでの署内ＰＣ７１は、管理ソフトウェア７０と協同した上で、識別情報を設定登録するとともに、設定登録された識別情報を管理し、ウェアラブルカメラ１０に送信する情報処理装置として機能する。
【０１２０】
まず、バックエンドシステム１００Ｂにおいて、署内ＰＣ７１とウェアラブルカメラ１０が所定の有線又は無線の通信を確保する（ステップＳ１）。無線通信には、ウェアラブルカメラ１０の通信部２１による、署内ＰＣ７１との無線ＬＡＮ（Ｗ−ＬＡＮ）による無線通信、近距離無線通信（ＮＦＣ：Ｎｅａｒ  Ｆｉｅｌｄ  Ｃｏｍｍｕｎｉｃａｔｉｏｎ）、Ｂｌｕｅｔｏｏｔｈ（登録商標）等がある。有線通信には、ウェアラブルカメラ１０のＵＳＢ２２によるシリアルバス通信がある。このような通信接続は、断続せず連続的に確保されているが、所定の時間をおいて断続的に通信接続を確保するようにしてもよい。
【０１２１】
警察官７は、ウェアラブルカメラ１０およびパトカー６の使用を目的として、警察署５内の署内ＰＣ７１にログインし、警察官７の識別情報（例えばＯｆｆｉｃｅｒ  ＩＤ）、警察官が使用するウェアラブルカメラ１０の識別情報（例えばＣａｍｅｒａ  ＩＤ）、警察官７が使用するパトカー６の識別情報（例えばＣａｒ  ＩＤ）等を、第１のログイン情報として署内ＰＣ７１に設定登録する（ステップＳ２）。ただし、このような設定登録は、警察官７が行ってもよいし、他の者が行ってもよく、設定登録のタイミングも任意である。警察官７がウェアラブルカメラ１０を入手後速やかに行ってもよい。
【０１２２】
このような状況で、例えば警察官７が現場８に向かうべき事件が発生し、警察署５に通報がされる。このとき警察官７が、上述の第１のログイン情報を用いて署内ＰＣ７１にログインすると、署内ＰＣ７１は、第１のログイン情報である識別情報をウェアラブルカメラ１０に送信し（ステップＳ３）、識別情報を受信したウェアラブルカメラ１０は、記憶部１５に受信した識別情報を記憶する（ステップＳ４）。ステップＳ１において、署内ＰＣ７１とウェアラブルカメラ１０間の通信は確保されているため、識別情報の送受信は円滑に行われる。
【０１２３】
その後、警察官７は、自身のウェアラブルカメラ１０を装着して（図４参照）、パトカー６に乗り込む。すると、ウェアラブルカメラ１０と車載システム６０との間で、有線又は無線の通信が確保される（ステップＳ５）。この接続の態様は、ステップＳ１のものと同じであってよい。
【０１２４】
通信接続が確保されると、ウェアラブルカメラ１０は、記憶部１５に記憶した識別情報を車載システム６０に送信する（ステップＳ６）。車載システム６０の車載レコーダ６２は、無線通信部１０２または有線通信部１０３により識別情報を受信し、受信した識別情報を車載レコーダ６２のＲＯＭ１０４に記憶する（ステップＳ７）。尚、一般的にステップＳ５〜Ｓ７は、警察官７がパトカー６に乗り込んだ後、現場８へ向かうまでの間に行われる。警察官７は、ウェアラブルカメラ１０に記憶された識別情報を、車載システム６０に対して改めて入力する必要はない。
【０１２５】
警察官７が現場８に到着し、パトカー６から出ると、任意のタイミングでウェアラブルカメラ１０により録画を開始する。このとき、車載システム６０の車載カメラ６１も録画を開始し、映像データを取得する（ステップＳ８）。車載カメラ６１による録画は、例えばウェアラブルカメラ１０による録画の開始信号を車載レコーダ６２の無線通信部１０２が受信し、受信した信号を元に車載カメラ６１を起動させることにより開始される。ただし、車載カメラ６１による録画開始の態様やタイミングなどは特に限定はされない。
【０１２６】
車載カメラ６１が取得した映像データとウェアラブルカメラ１０から取得した車載レコーダ６２のＲＯＭ１０４上にある識別情報は、同時にＳＳＤ１１１に記憶される。ここで、ＳＳＤ１１１内には、ウェアラブルカメラ１０から取得した識別情報が既に記憶されている（ステップＳ７参照）。この場合、車載レコーダ６２は、予めＳＳＤ１１１に記憶された識別情報と車載カメラ６１から受信した映像データとを対応付けし、対応付けられた識別情報と映像データとをＳＳＤ１１１に記憶する（ステップＳ９）。映像データには識別情報が対応付けられているため、後の映像データの抽出、検索が極めて容易なものとなる。
【０１２７】
車載レコーダ６２には複数のログイン情報を設定することができる。例えば、車載レコーダ６２は、上述した第１のログイン情報に加えて、識別情報を第２のログイン情報として設定する。このとき、車載レコーダ６２は、第２のログイン情報を用いた第２のログインを受け付け可能となり、警察官７を含むユーザは、この第２のログイン情報を用いて車載レコーダ６２にログイン（第２のログイン）することが可能である。なお、車載レコーダ６２は、例えば警察署５への帰還後のタイミングで、車載カメラ６１が撮像した映像データを含む録画データをバックエンドシステム１００Ｂに転送（アップロード）する。
【０１２８】
図１１は、識別情報を含むログイン情報（第１及び第２のログイン情報）の一例を示す図である。図１１に示すログイン情報は、「Ｏｆｆｉｃｅｒ  ＩＤ」と、「Ｏｆｆｉｃｅｒ  Ｎａｍｅ」と「Ｃａｍｅｒａ  ＩＤ」と、「Ｃａｒ  ＩＤ」と、「Ａｒｅａ」と、「Ｓｈｉｆｔｗｏｒｋ  ｐａｔｔｅｒｎ」と、「Ｕｎｉｔ」と、「Ａｇｅｎｃｙ」との各項目に対応する実際のデータにより構成される。「Ｏｆｆｉｃｅｒ  ＩＤ」は、ログインが許可されたユーザ（つまり、ログインしている警察官）の識別情報を示す。「Ｏｆｆｉｃｅｒ  Ｎａｍｅ」は、ログインしている警察官の名前を示す。「Ｃａｍｅｒａ  ＩＤ」は、使用中のウェアラブルカメラの識別番号を示す。「Ｃａｒ  ＩＤ」は、使用中のパトカーの識別番号を示す。「Ａｒｅａ」は、警察官がパトロール（巡回）しているエリアの名称を示す。「Ｓｈｉｆｔｗｏｒｋ  ｐａｔｔｅｒｎ」は、警察官の勤務シフトのパターンを示す。「Ｕｎｉｔ」は、警察官の所属部署を示す。「Ａｇｅｎｃｙ」は、警察官の勤める警察署（勤務地）の名称を示す。ログイン情報に「Ｏｆｆｉｃｅｒ  ＩＤ」以外に「Ｏｆｆｉｃｅｒ  Ｎａｍｅ」と、「Ｖｅｈｉｃｌｅ  ＩＤ」と、「Ａｒｅａ」と、「Ｓｈｉｆｔｗｏｒｋ  ｐａｔｔｅｒｎ」と、「Ｕｎｉｔ」と、「Ａｇｅｎｃｙ」を設けることで、例えばバックエンドシステム１００Ｂにおいて、ユーザは、各項目を検索キーとして用いることで、所望のイベントリストＥＶＬを検索しやすくすることができる。尚、図１１には示されていないが、ウェアラブルカメラ１０のＭＡＣアドレスも識別情報、すなわち第１及び第２のログイン情報として利用することができる。
【０１２９】
図１２は、録画データのデータ構造の一例を示す図、図１３は、録画映像リストのデータ構造の一例を示す図である。本実施形態の車載レコーダ６２では、図１２に示すように、車載カメラ６１が撮像した映像データに対し、この映像データに関連するメタ情報（映像データの属性を示す属性情報）を生成するとともに対応付けし、両者のデータを関連付けた録画データとして、ＳＳＤ１１１に記憶する。すなわち、ＳＳＤ１１１に記憶した録画データには、映像データとメタ情報とが含まれる。そして、車載レコーダ６２は、ウェアラブルカメラ１０から取得した識別情報をもメタ情報の一部として設定する。上述したステップＳ９（図１０）においては、車載レコーダ６２は、予めＲＯＭ１０４に記憶された識別情報をメタ情報の一部として設定し映像データと対応付けることになる。
【０１３０】
録画データは、図１３に示すような録画映像リストの形で車載レコーダ６２のＳＳＤ（記憶部）１１１に記憶される。録画映像リストの情報には、映像データＩＤ、時間情報、Ｃａｒ  ＩＤ、Ｏｆｆｉｃｅｒ  ＩＤ、事件カテゴリ、その他の情報が含まれる。映像データＩＤは、車載カメラ６１が撮像した映像データそのもののＩＤである。本実施形態では、録画開始から録画終了までの１つの録画動作を１つのイベントとして規定し、個々の録画動作のイベント（以下、録画イベントとも称する）について映像データＩＤを付与する。映像データＩＤとしては、映像データのファイル名などを用いてもよい。
【０１３１】
時間情報、Ｃａｒ  ＩＤ、Ｏｆｆｉｃｅｒ  ＩＤ、事件カテゴリ、（場合によっては）その他の情報は、車載レコーダ６２自身が生成する一般的なメタ情報に対応し、Ｃａｒ  ＩＤおよびＯｆｆｉｃｅｒ  ＩＤ、（場合によっては）その他の情報がメタ情報の一部である識別情報に分類される。この識別情報は、車載レコーダ６２がウェアラブルカメラ１０から取得したものである。
【０１３２】
時間情報は、個々の録画イベントの時間情報であり、例えば録画開始時刻を付与する。時間情報としては、録画開始時刻だけでなく、録画開始時刻と録画終了時刻、録画開始時刻と録画継続時間などを用いてもよい。「Ｃａｒ  ＩＤ」は、使用中のパトカーの識別番号を示す。Ｏｆｆｉｃｅｒ  ＩＤは、ログインが許可されたユーザ（つまり、ログインしている警察官）の識別情報を示す。事件カテゴリは、現場で起こった事件の種類を示すための分類情報である。その他の情報には図１１で識別情報として挙げた「Ｏｆｆｉｃｅｒ  Ｎａｍｅ」、「Ｃａｍｅｒａ  ＩＤ」、「Ａｒｅａ」、「Ｓｈｉｆｔｗｏｒｋ  ｐａｔｔｅｒｎ」、「Ｕｎｉｔ」、「Ａｇｅｎｃｙ」などが含まれ得るが特に限定はされない。
【０１３３】
本実施形態のウェアラブルカメラシステム１００によれば、署内ＰＣ７１により入力された第１のログイン情報としての識別情報が、特別な操作をすることなく、自動的にウェアラブルカメラ１０に送られる。さらに、当該識別情報がウェアラブルカメラ１０から車載システム６０の車載レコーダ６２に自動的に送られ、第２のログイン情報として自動的に車載レコーダ６２に設定登録される。よって、警察官７が車載ＰＣ６３から特別な入力操作をすることなく、識別情報が車載レコーダ６２に記憶されることとなる。さらに警察官７を含むユーザは第２のログイン情報を用いて車載レコーダ６２にログイン（第２のログイン）することができ、このログインにあたって、識別情報の利用が可能である。
【０１３４】
このような状況で、車載システム６０の車載カメラ６１が現場８で映像データを撮像する。車載レコーダ６２は、ユーザが特別な処理をすることなく、パトカー６やウェアラブルカメラ１０等の識別情報を車載カメラ６１が撮像した映像データに関連付ける（紐付ける）ことが可能となる。
【０１３５】
よって、本実施形態のウェアラブルカメラシステム１００は、車載カメラ６１が撮像した映像データを取扱う上での利便性を向上させるものである。例えば、緊急を要する現場８において、警察官７は、車載カメラ６１により映像データを撮像するにあたり、予め識別情報を入力する必要がないため、円滑に事件に対処することができる。また、警察官７が現場８から警察署５に戻った後でも、車載カメラ６１が撮像した映像データには既に識別情報が付与されているため、映像データの管理、検索などが容易となる。
【０１３６】
上記実施形態では、ウェアラブルカメラ１０と車載レコーダ６２との間では、有線通信又は近距離通信（例えばＮＦＣ又はＢｌｕｅｔｏｏｔｈ（登録商標））されることが好ましい。これにより、他の警察官７が近くにおり、他のウェアラブルカメラ１０が近くに存在する場合でも、他のウェアラブルカメラ１０と車載レコーダ６２が誤接続され、混線することを抑制できる。
【０１３７】
上記実施形態では、ウェアラブルカメラ１０が保持する識別情報を車載レコーダ６２へ転送し、車載レコーダ６２での各処理（例えばログイン処理、メタ情報の付与処理）に用いることを例示した。更に、車載レコーダ６２が予め識別情報を保持している場合、車載レコーダ６２が保持する識別情報をウェアラブルカメラ１０へ転送し、ウェアラブルカメラ１０での各処理（例えばメタ情報の付与処理）に用いてもよい。このように、特定のウェアラブルカメラ１０から非特定の車載レコーダ６２へ識別情報を登録してもよいし、特定の車載レコーダ６２から非特定のウェアラブルカメラ１０へ識別情報を登録してもよい。これにより、非特定側での入力作業の手間を省くことができる。
【０１３８】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【０１３９】
本発明のウェアラブルカメラシステムによれば、車載カメラが撮像した映像データを取扱う上での利便性を向上できる。
【符号の説明】
【０１４０】
１００  ウェアラブルカメラシステム
１００Ａ  フロントエンドシステム
１００Ｂ  バックエンドシステム
５  警察署
６  パトカー（車両）
７  警察官
８  現場
１０  ウェアラブルカメラ
１０Ａ  ウェアラブルカメラの筐体
１１  撮像部
１２  ＧＰＩＯ
１３  ＲＡＭ
１４  ＲＯＭ
１５  記憶部
１６  ＥＥＰＲＯＭ
１７  ＲＴＣ
１８  ＧＰＳ
１９  ＭＣＵ
２１  通信部
２２  ＵＳＢ
２２ａ  ＵＳＢコネクタ
２３  コンタクトターミナル
２４  電源部
２５  バッテリ
２６ａ，２６ｂ，２６ｃ  ＬＥＤ
２７  バイブレータ
６０  車載システム
６１  車載カメラ
６２  車載レコーダ
６３  車載ＰＣ
７０  管理ソフトウェア
７１  署内ＰＣ
１０１  ＣＰＵ
１０２  無線通信部
１０３  有線通信部
１０４  ＲＯＭ
１０５  ＲＡＭ
１０６  μＣＯＮ
１０７  ＧＰＳ
１０８  ＧＰＩＯ
１０９  ボタン
１１０  ＬＥＤ
１１１  ＳＳＤ（記憶部）
１１２  ＲＳ−２３２Ｃ接続部
２０１  ＣＰＵ
２０２  Ｉ／Ｏ制御部
２０３  通信部
２０４  メモリ
２０５  入力部
２０６  表示部
２０７  スピーカ
ＳＶ１，ＳＶ２，ＳＶ３  サーバ
ＳＷ１  録画スイッチ
ＳＷ２  スナップショットスイッチ
ＳＷ３  属性情報付与スイッチ
ＳＷ４  属性選択スイッチ
ＳＷ５  通信モードスイッチ
ＳＷ６  インジケータスイッチ
【図１】
2016143996.tif 000003
【図２】
2016143996.tif 000004
【図３】
2016143996.tif 000005
【図４】
2016143996.tif 000006
【図５】
2016143996.tif 000007
【図６】
2016143996.tif 000008
【図７】
2016143996.tif 000009
【図８】
2016143996.tif 000010
【図９】
2016143996.tif 000011
【図１０】
2016143996.tif 000012
【図１１】
2016143996.tif 000013
【図１２】
2016143996.tif 000014
【図１３】
2016143996.tif 000015